(57)【特許請求の範囲】
【請求項１】
ヒンジ付蓋部のヒンジ部下方に垂下して設けた板状の差込片部を、キャップ本体の排出口をもつ天板に設けた背板を垂下する挿着孔に挿入して取り付けたヒンジキャップを、容器本体の口頸部に装着した容器であって、前記ヒンジ付蓋部の差込片部の下端部に、縦方向に延びる係止溝を形成して二股に分岐する一対の係止片部を設け、この一対の係止片部の相対する内側の側面部に互いに接近方向に突出する顎部を形成し、前記キャップ本体の挿着孔の背板に前記一対の係止片部が嵌合する嵌合部を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓を冠着して、前記一対の係止片部を側壁内面で両側から当接して係止し、且つ、前記挿着孔を封止したことを特徴とするヒンジ付蓋部を有する容器。
【請求項２】
ヒンジ付蓋部のヒンジ部下方に垂下して設けた板状の差込片部を、キャップ本体の排出口をもつ天板に設けた背板を垂下する挿着孔に挿入して取り付けたヒンジキャップを、容器本体の口頸部に装着した容器であって、前記ヒンジ付蓋部の差込片部の下端部に、縦方向に延びる係止溝を形成して二股に分岐する一対の係止片部を設け、この一対の係止片部の相対する内側の側面部に互いに接近方向に突出する顎部を形成し、前記キャップ本体の挿着孔の背板に前記一対の係止片部が嵌合する嵌合部を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓部をもつ中栓を冠着して、前記一対の係止片部を封止栓部の側壁内面で両側から当接して係止し、且つ、前記挿着孔を封止したことを特徴とするヒンジ付蓋部を有する容器。
【請求項３】
ヒンジ付蓋部のヒンジ部下方に垂下して設けられた板状の差込片部を、排出口をもつ肩部材の天板に設けた背板を垂下する挿着孔に挿入して取り付けたチューブ状の容器であって、前記ヒンジ付蓋部の差込片部の下端部に、縦方向に延びる係止溝を形成して二股に分岐する一対の係止片部を設け、この一対の係止片部の相対する内側の側面部に互いに接近方向に突出する顎部を形成し、前記肩部材の挿着孔の背板に前記一対の係止片部が嵌合する嵌合部を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓を冠着して、前記一対の係止片部を側壁内面で両側から当接して係止し、且つ、前記挿着孔を封止したことを特徴とするヒンジ付蓋部を有する容器。
【発明の詳細な説明】
【０００１】
【発明の属する技術分野】
本発明は、ヒンジ付蓋部を容器に装着するキャップ本体や容器の肩部に嵌着したヒンジ付蓋部を有する容器に関するものである。
【０００２】
【従来の技術】
従来、ヒンジ付蓋部を有する容器としては、キャップ本体にヒンジ付蓋部を嵌着したヒンジキャップを容器の口頸部に装着したものが一般的であり、このヒンジキャップのヒンジ付蓋部の取付構造としては、特開平７−１３７７５６号公報に本発明に類するものが開示されている。
【０００３】
このヒンジ付蓋部の取付構造は、図５に示すように、ボトル本体の口頸部に嵌合固定されるキャップ本体（２００）と、このキャップ本体の排出口を閉鎖するヒンジ付蓋部（１００）とが別体に形成され、キャップ本体にボトル本体の縦方向に延びる挿着穴（２５０）が形成され、この挿着穴にヒンジ付蓋部の板状の差込片部（１４０）を差し込んで固定するヒンジキャップ（１０）において、差込片部の下端部に縦方向に延びる係止溝（１４１）による二股に分岐する一対の係止片部（１４２，１４３）が形成され、この一対の係止片部の相対する内側の側面に互いに接近方向に突出する顎部（１４４，１４５）が形成され、挿着穴を形成する幅の広い内壁面に一対の係止片部が嵌合する嵌合部（２５１）が形成され、差込片部を挿着穴に挿入したときに、この嵌合部の下部が一対の係止片部の顎部に保持されていることを特徴とするヒンジ付蓋部の取付構造であった。
【０００４】
【発明が解決しようとする課題】
上述の特開平７−１３７７５６号公報のヒンジ付蓋部の取付構造によるヒンジキャップを装着した従来のヒンジ付蓋部を有する容器は、ヒンジ付蓋部の差込片部がキャップ本体の挿着穴の内壁面に設けられた嵌合部の下部を一対の係止片部の顎部に保持しているため、通常の容器の使用においては、蓋部がキャップ本体から抜けることはないが、しかしながら、強い外力が蓋部に加えられた場合、例えば、蓋部だけをもって容器を扱われたときなどに、特に容量の多い容器においては、蓋部がキャップ本体から抜けてしまうことがあった。また、取付構造部が広口容器などのように口部の内側にくる場合には、内容物を排出するときに、内容物が取付構造部へ侵入してしまうことがあった。
【０００５】
本発明は、上述の従来の問題を解決したものであり、強い外力に対しても蓋部が容器から離脱しにくく、蓋部の取付構造部が封止されており、しかも取付構造が比較的簡単なヒンジ付蓋部を有する容器を提供するものである。
【０００６】
【課題を解決するための手段】
本発明の第１の発明は、図１（ａ）及び（ｂ）に示すように、ヒンジ付蓋部（１００）のヒンジ部（１３０）下方に垂下して設けた板状の差込片部（１４０）を、キャップ本体（２００）の排出口（２３０）をもつ天板（２１０）に設けた背板（２４１）を垂下する挿着孔（２４０）に挿入して取り付けたヒンジキャップ（１０）を、容器本体（２０）の口頸部（２１）に装着した容器であって、前記ヒンジ付蓋部の差込片部の下端部に、縦方向に延びる係止溝（１４１）を形成して二股に分岐する一対の係止片部（１４２，１４３）を設け、この一対の係止片部の相対する内側の側面部に互いに接近方向に突出する顎部（１４４，１４５）を形成し、前記キャップ本体の挿着孔の背板に前記一対の係止片部が嵌合する嵌合部（２４２）を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓（３００）を冠着して、前記一対の係止片部を側壁（３１１，３１２）内面で両側から当接して係止し、且つ、前記挿着孔を封止したことを特徴とするヒンジ付蓋部を有する容器（１）である。
【０００７】
本発明の第２の発明は、図２（ａ）及び（ｂ）に示すように、ヒンジ付蓋部（１００）のヒンジ部（１３０）下方に垂下して設けた板状の差込片部（１４０）を、キャップ本体（２００）の排出口（２３０）をもつ天板（２１０）に設けた背板（２４１）を垂下する挿着孔（２４０）に挿入して取り付けたヒンジキャップ（１０）を、容器本体（２０）の口頸部（２１）に装着した容器であって、前記ヒンジ付蓋部の差込片部の下端部に、縦方向に延びる係止溝（１４１）を形成して二股に分岐する一対の係止片部（１４２，１４３）を設け、この一対の係止片部の相対する内側の側面部に互いに接近方向に突出する顎部（１４４，１４５）を形成し、前記キャップ本体の挿着孔の背板に前記一対の係止片部が嵌合する嵌合部（２４２）を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓部（４３０）をもつ中栓（４００）を冠着して、前記一対の係止片部を封止栓部の側壁（４３１，４３２）内面で両側から当接して係止し、且つ、前記挿着孔を封止したことを特徴とするヒンジ付蓋部を有する容器（１）である。
【０００８】
本発明の第３の発明は、図３に示すように、ヒンジ付蓋部（１００）のヒンジ部（１３０）下方に垂下して設けられた板状の差込片部（１４０）を、排出口（５３０）をもつ肩部材（５００）の天板（５１０）に設けた背板（５４１）を垂下する挿着孔（５４０）に挿入して取り付けたチューブ状の容器であって、前記ヒンジ付蓋部の差込片部の下端部に、縦方向に延びる係止溝（１４１）を形成して二股に分岐する一対の係止片部（１４２，１４３）を設け、この一対の係止片部の相対する内側の側面部に互いに接近方向に突出する顎部（１４４，１４５）を形成し、前記肩部材の挿着孔の背板に前記一対の係止片部が嵌合する嵌合部（５４２）を設け、前記差込片部を前記挿着孔に挿入して、この嵌合部の下部に前記一対の係止片部の顎部を当接させて嵌合を保持させ、前記差込片部が挿入する前記挿着孔の下方から凹状の封止栓（３００）を冠着して、前記一対の係止片部を側壁（３１１，３１２）内面で両側から当接して係止し、且つ、前記挿着孔を封止したことを特徴とするヒンジ付蓋部を有する容器（１）である。
【０００９】
【作用】
本発明のヒンジ付蓋部を有する容器は、図４に示すように、蓋部のヒンジ部下方に垂下して設けられた差込片部（１４０）の下端部が、係止溝（１４１）により二股に分岐して一対の係止片部（１４２，１４３）を形成しており、キャップ本体又は肩部材の挿着孔に挿入された蓋部の係止片部が、一対の係止片部の内側の側面部に形成された顎部（１４４，１４５）を、挿着孔の背板（２４１又は５４１）に設けられた嵌合部（２４２又は５４２）の下部に当接させて嵌合を保持しており、さらに、封止栓又は中栓の封止栓部の側壁（３１１，３１２又は４３１，４３２）内面が一対の係止片部を両側から当接して係止片部を係止しているため、蓋部に強い外力が加えられても、容器から蓋部が離脱する危惧がない。また、取付構造部が広口容器などのように口部の内側にくる場合にも、内容物を排出するときに、内容物が取付構造部へ侵入することがない。
【００１０】
【発明の実施の形態】
本発明のヒンジ付蓋部を有する容器は、図１、図２及び図３に示すように、蓋部の周縁部の一側に設けられた通常のヒンジ（蓋の開閉が手動のもの）又はスナップヒンジ（蓋の位置により自動的に開閉するもの）によるヒンジ部（１３０）の下方に垂下して板状の差込片部（１４０）を、キャップ本体（２００）の排出口（２３０）をもつ天板（２１０）に設けた背板（２４１）を垂下する挿着孔（２４０）に挿入して取り付けたヒンジキャップ（１０）を、容器本体（２０）の口頸部（２１）に装着した容器であるか、または、排出口（５３０）をもつ肩部材（５００）の天板（５１０）に設けた背板（５４１）を垂下する挿着孔（５４０）に蓋部の差込片部（１４０）を挿入して取り付けたチューブ状の容器である。上述のヒンジ付蓋部、キャップ本体及び肩部材は、ポリプロピレン、ポリエチレンなどの熱可塑性樹脂を用いて射出成形法で作製するものである。そして、蓋部の差込片部（１４０）の下端部には、縦方向に延びる係止溝（１４１）を形成して二股に分岐する一対の係止片部（１４２，１４３）を設け、この一対の係止片部の相対する内側の側面部に互いに接近方向に突出する顎部（１４４，１４５）を形成し、キャップ本体（２００）又は肩部材（５００）の挿着孔（２４０又は５４０）の背板（２４１又は５４１）に前述の一対の係止片部（１４２，１４３）が嵌合する先端部にフランジ部（２４３又は５４３）をもつ嵌合部（２４２又は５４２）を設けて、蓋部の差込片部をキャップ本体又は肩部材の挿着孔に挿入して、この嵌合部の下部に一対の係止片部の顎部を当接させて嵌合を保持させたのち、差込片部が挿入する挿着孔の下方から背板（２４１又は５４１）と差込片部（１４０）とを収納する凹状の封止栓（３００）又は封止栓部（４３０）をもつ中栓（４００）を嵌合、咬合などで係合又は接着させて冠着し、一対の係止片部を側壁（３１１，３１２又は４３１，４３２）内面で両側から当接して係止し、また、挿着孔（２４０又は５４０）を封止したものである。なお、封止栓及び中栓はポリエチレンなどの熱可塑性樹脂を用いて射出成形法で作製する。また、図４に示すように、必要に応じては、封止栓（３００）又は封止栓部（４３０）の側壁（図４では、３１２又は４３２）の上部の任意の位置に係止片部（図４では、１４３）を係止する係止凸部（３１３）を設けてもよい。
【００１１】
【実施例】
＜実施例１＞
図１（ａ）は、本実施例のヒンジ付蓋部を有する容器の構成を示す分解斜視図であり、（ｂ）は、その外観を示す斜視図である。これらの図を用いて次に本実施例を詳細に説明する。
【００１２】
まず、ポリプロピレンを用いて射出成形法でヒンジ付蓋部（１００）を作製した。この蓋部は、周縁部の一側に設けられた４個所のヒンジ（１３１，１３２，１３３、１３４）と弾性片（１３５）とから構成されるスナップヒンジによるヒンジ部（１３０）の下方に板状の差込片部を垂下したものであり、この差込片部の下端部に、縦方向に延びる係止溝（１４１）を形成して二股に分岐する一対の係止片部（１４２，１４３）を設けたものであり、この一対の係止片部の相対する内側の側面部に互いに接近方向に突出する顎部（１４４，１４５）を形成したものである。
【００１３】
次に、ポリプロピレンを用いて射出成形法でキャップ本体（２００）を作製した。このキャップ本体は、天板（２１０）に排出口（２３０）と背板（２４１）を垂下する挿着孔（２４０）が設けられ、この挿着孔の背板には、蓋部の一対の係止片部が嵌合する先端にフランジ部（２４３）をもつ嵌合部（２４２）が設けられ、周壁（２２０）内面には容器本体（２０）の口頸部（２１）と螺合する螺合部が設けられたものである。そして、これとは別個に、ポリエチレン用いて射出成形法で封止栓（３００）を作製した。この封止栓は、側壁（３１１）と側壁（３１２）とをもつ周壁と底壁（３２０）とからなる凹状である。
【００１４】
次に、上述のヒンジ付蓋部（１００）の差込片部（１４０）を、キャップ本体（２００）の挿着孔（２４０）に挿入して取り付け、挿着孔の下方から凹状の封止栓（３００）を冠着してヒンジキャップ（１０）を作製し、このヒンジキャップを、内容物を充填したポリエチレン製容器本体（２０）の口頸部（２１）に螺合させて挿着し、本実施例のヒンジ付蓋部を有する容器（１）を作製した。なお、上述した組み立て操作は、構造が簡単であるため容易であった。
【００１５】
そして、本実施例のヒンジ付蓋部を有する容器は、蓋部だけをもって容器が扱われても蓋部が容器から離脱することがなく、内容物を排出するときに、内容物が取付構造部へ侵入することがなかった。
【００１６】
＜実施例２＞
図２（ａ）は、本実施例のヒンジ付蓋部を有する容器の構成を示す分解斜視図であり、（ｂ）は、その外観を示す斜視図である。これらの図を用いて次に本実施例を詳細に説明する。
【００１７】
ヒンジ付蓋部（１００）及びキャップ本体（２００）は、実施例１と同様にして作製し、中栓（４００）は、ポリエチレンを用いて射出成形法で作製したものであり、天板（４１０）に開口部（４２０）と封止栓部（４３０）が設けられ、この封止栓部は、側壁（４３１）と側壁（４３２）をもつ周壁と底壁（４３３）とからなる凹状である。
【００１８】
次に、上述のヒンジ付蓋部（１００）の差込片部（１４０）を、キャップ本体（２００）の挿着孔（２４０）に挿入して取り付け、挿着孔の下方から凹状の封止栓部をもつ中栓（４００）を冠着してヒンジキャップ（１０）を作製し、このヒンジキャップを、内容物を充填したポリエチレン製容器本体（２０）の口頸部（２１）に螺合させて挿着し、本実施例のヒンジ付蓋部を有する容器（１）を作製した。なお、上述した組み立て操作は、実施例１と同様に構造が簡単であるため容易であった。
【００１９】
そして、本実施例のヒンジ付蓋部を有する容器は、蓋部だけをもって容器が扱われても蓋部が容器から離脱することがなく、また、内容物を排出するときに、内容物が取付構造部へ侵入することがなかった。
【００２０】
＜実施例３＞
図３は、本実施例のヒンジ付蓋部を有する容器の構成を示す分解斜視図である。この図を用いて次に本実施例を詳細に説明する。
【００２１】
まず、ポリプロピレンを用いて射出成形法でヒンジ付蓋部（１００）を作製した。この蓋部は、周縁部の一側に設けられた４個所のヒンジ（１３１，１３２，１３３、１３４）と弾性片（１３５）とから構成されるスナップヒンジによるヒンジ部（１３０）の下方に板状の差込片部を垂下したものであり、この差込片部の下端部に、縦方向に延びる係止溝（１４１）を形成して二股に分岐する一対の係止片部（１４２，１４３）を設けたものであり、この一対の係止片部の相対する内側の側面部に互いに接近方向に突出する顎部（１４４，１４５）を形成したものである。
【００２２】
次に、ポリエチレンを用いて射出成形法で肩部材（５００）を作製した。この肩部材は、天板（５１０）に排出口（５３０）と背板（５４１）を垂下する挿着孔（５４０）が設けられ、この挿着孔の背板には、蓋部の一対の係止片部が嵌合する先端にフランジ部（５４３）をもつ嵌合部（５４２）が設けられたものである。次に、この肩部材の下端周縁部に、ポリエチレン製の筒状の胴部（６００）を熱融着して、チューブ状の容器本体（２０）を作製した。そして、これとは別個に、ポリエチレン用いて射出成形法で封止栓（３００）を作製した。この封止栓は、側壁（３１１）と側壁（３１２）とをもつ周壁と底壁（３２０）とからなる凹状である。
【００２３】
次に、上述のヒンジ付蓋部（１００）の差込片部（１４０）を、チューブ状の容器本体の肩部材（５００）の挿着孔（５４０）に挿入し、挿着孔の下方から凹状の封止栓（３００）を冠着して取り付け、胴部下端の開口部より内容物を充填したのち、胴部下端を熱融着してシールして、本実施例のチューブ状の容器（１）を作製した。なお、上述した組み立て操作は、実施例１と同様に構造が簡単であるため容易であった。
【００２４】
そして、本実施例のヒンジ付蓋部を有する容器は、蓋部だけをもって容器が扱われても蓋部が容器から離脱することがなく、また、内容物を排出するときに、内容物が取付構造部へ侵入することがなかった。
【００２５】
【発明の効果】
本発明のヒンジ付蓋部を有する容器においては、蓋部の差込片部が二股に分岐して一対の係止片部を形成し、この一対の係止片部が挿入孔の背板の嵌合部下部に顎部を当接して嵌合を保持しており、さらに、封止栓又は封止栓部の側壁内面が一対の係止片部を両側から当接して係止しているため、強い外力に対しても蓋部が容器から離脱する危惧がない。また、取付構造部を完全に封止しているので排出のときに、内容物が取付構造部へ侵入することがない。しかも、蓋部の取付構造が比較的簡単である。
【図面の簡単な説明】
【図１】（ａ）は、本発明の実施例１のヒンジ付蓋部を有する容器の構成を示す分解斜視図であり、（ｂ）は、外観を示す斜視図である。
【図２】（ａ）は、本発明の実施例２のヒンジ付蓋部を有する容器の構成を示す分解斜視図であり、（ｂ）は、外観を示す斜視図である。
【図３】本発明の実施例３のヒンジ付蓋部を有する容器の構成を示す分解斜視図である。
【図４】本発明のヒンジ付蓋部を有する容器の蓋部の差込片部が封止栓又は封止栓部で係止されている状態を示す説明図である。
【図５】従来の一例のヒンジ付蓋部を有する容器の蓋部の取付構造を示す分解斜視図である。
【符号の説明】
１……容器
１０……ヒンジキャップ
２０……容器本体
２１……口頸部
２２……螺合部
１００……ヒンジ付蓋部
１１０，２１０，４１０，５１０……天板
１２０，２２０，４２０，５２０……周壁
１３０……ヒンジ部
１３１，１３２，１３３，１３４……ヒンジ
１３５……弾性片
１４０……差込片部
１４１……係止溝
１４２，１４３……係止片部
１４４，１４５……顎部
２００……キャップ本体
２３０，５３０……排出口
２４０，５４０……挿着孔
２４１，５４１……背板
２４２，２５１，５４２……嵌合部
２４３，５４３……フランジ部
２５０……挿着穴
３００……封止栓
３１１，３１２，４３１，４３２……側壁
３１３……係止凸部
３２０，４３３……底壁
４００……中栓
４２０……開口部
４３０……封止栓部
５００……肩部材
６００……胴部
【図１】
0003726334.tif 000002
【図２】
0003726334.tif 000003
【図３】
0003726334.tif 000004
【図４】
0003726334.tif 000005
【図５】
0003726334.tif 000006